(57)【特許請求の範囲】
【請求項１】
空気の吹き出し方向を調整するルーバーを有した送風装置であって、
前記ルーバーは、風向を調整する複数枚の羽根板と、前記羽根板を保持する枠体と、前記羽根板の角度を調整する左右方向に移動自在のリンク部品と、前記リンク部品の移動距離を調整するリンク部品固定板バネとを有し、
前記リンク部品は、前記リンク部品固定板バネと対向する面に設けられた凹凸形状が連続する凹凸部と、前記羽根板を前記リンク部品の操作に連動させるための羽根板係合部とを有し、
前記複数枚の羽根板は、該羽根板の回転軸と、前記リンク部品と係合する係合軸とを有し、
前記係合軸は、前記リンク部品の操作により、前記羽根板の左右方向を回転調整するように前記リンク部品の羽根板係合部に左右方向が固定されており、
前記枠体は、前記リンク部品を左右方向に移動自在に保持するリンク部品保持部と、前記リンク部品固定板バネを支持する板バネ支持部と、前記板バネ支持部に支持されている前記リンク部品固定板バネの弾性変形と前記リンク部品の装着圧力との作用により該板バネを固定する板バネ係止部とを備え、
前記リンク部品固定板バネは、前記リンク部品の前記凹凸部に嵌合する凸部を備え、
前記リンク部品の前記凹凸部に前記リンク部品固定板バネの前記凸部が嵌合して、前記リンク部品が係止される
送風機。
【請求項２】
前記枠体の前記板バネ支持部に、前記板バネ係止部が一体に形成されている請求項１に記載の送風機。
【請求項３】
前記リンク部品が左右２つに分割されている請求項１または２に記載の送風機。
【請求項４】
前記複数枚の羽根板のうち中央より左側の羽根板は左側のリンク部品に、前記複数枚の羽根板のうち中央より右側の羽根板は右側のリンク部品に固定されており、左側の前記リンク部品と右側の前記リンク部品とがそれぞれ独立して操作される請求項１〜３のいずれか一項に記載の送風機。
【請求項５】
前記ルーバーを前記左右方向と直交する方向に回動自在に保持するためのルーバー固定枠と、
前記ルーバーと一体に回動して前記ルーバーの角度を調整する上下固定板バネとを有し、
前記枠体は、該枠体の回転軸と、前記上下固定板バネを固定する枠体側面係合部とを有し、
前記ルーバー固定枠は、前記上下固定板バネを係止するための凹凸形状が連続した凹凸部を有し、前記枠体の前記回転軸を回動自在に支持する軸受穴が形成されており、
前記上下固定板バネは、一端に前記ルーバー固定枠の前記凹凸部に嵌合して係止される係止凸部が設けられ、前記枠体の前記回転軸が挿入される軸受穴が形成されており、該軸受穴に前記枠体の回転軸が挿入された状態で、前記枠体の前記枠体側面係合部に固定されている請求項１〜４のいずれか一項に記載の送風機。
【請求項６】
前記上下固定板バネと前記ルーバー固定枠の前記凹凸部とを、左右にそれぞれ備える請求項５記載の送風機。
【請求項７】
前記上下固定板バネの中央部が、前記ルーバー固定枠に押圧を付加する円弧状の折り曲げ形状とされている請求項５または６に記載の送風機。
【請求項８】
前記ルーバー固定枠の前記凸凹部と嵌合しない側の前記上下固定板バネの端部に、前記ルーバー固定枠側に突出する接触凸部を備えた請求項５〜７のいずれか一項に記載の送風機。
【発明の詳細な説明】
【技術分野】
【０００１】
この発明は、空気調和機、浴室乾燥機、浴室暖房機等の風向を調整するルーバー機構を備えた送風機に関する。
【背景技術】
【０００２】
住宅で使用する壁または天井に取付の乾燥機または暖房機等の送風機においては、製品の取付位置が室内の構成によって変化するため、製品の取付位置に合わせて、送風機の風向を上下、左右に調整して空気循環の改善を図り、暖房、乾燥効率を改善することが望まれている。風向の調整方法としては、複数枚の羽根板を用いて調整する方法があり、複数の羽根板を備えたルーバーの機構や組立てに関する技術が数多く提案されている。【０００３】
例えば、空気調和装置の風向吐出出口構造として、縦風向板を連動させる連続板とカムとの軸の連結をそれぞれ略直結した構造が提案されている（特許文献１）。ここで提案されている風向吐出出口構造では、連結板の一部を駆動用モーターのカムの軸に直結して連動させることができるため、部品点数を軽減するとともに、組立ての作業性を高めることができる。【０００４】
また、空気調和装置の吹出ルーバー調節装置として、前パネルを備え、前記前パネルの両側壁に一体成型されたくちばし状のリブ、前記リブを中心として前記前パネルの両側壁に一体成型され前面に凸凹状を備えた弧状のリブを備え、両側壁に一体成型され前記弧状のリブの凸凹状に係止する突起を備えた吹出ルーバーを有し、前記吹出ルーバーを前記前パネルに装着した際に、前記吹出ルーバーの突起が前記前パネルの弧状リブの凸凹状に押圧接触して係止されるようにした構造が提案されている（特許文献２）。ここで提案されている吹出ルーバー調節装置では、突起、凸凹状をそれぞれ一体成型し、組み合わせることにより、簡単な構造で角度調整可能な構造を得ることができる。また、部品点数も少なく、コストが安価であるとともに、組立て作業性の良い構造である。
【先行技術文献】
【特許文献】
【０００５】
【特許文献１】特開平７−２８０３３６号公報
【特許文献２】実公昭５８−１８６０３号公報
【発明の概要】
【発明が解決しようとする課題】
【０００６】
特許文献１に記載された空気調和装置の風向吐出出口構造では、縦風向板を動作させるために駆動用モーターを用いているためコストが高いという課題があり、また任意の角度で縦風向板を固定して使用したい場合には前記駆動モーターの制御が複雑となるとともに、回転位置の検知手段を設けた場合にはさらにコストが増えるという課題があった。
また、カムを固定するための手段が必要であり、部品点数が増えるという課題もある。【０００７】
また、特許文献２に記載された吹出ルーバー調節装置では、吹出ルーバーの角度を調節する際には、樹脂部品を弾性変形させることになるため、部品の破損の危険がある。また、弾性変形させる部品の強度を強くしようとした場合には、吹出ルーバーの操作荷重が大きくなるという課題がある。また、樹脂部品同士の摺動が発生するため、操作回数が増えると摩耗により前記突起が失われ、吹出ルーバーの角度調整ができなくなるおそれがあるという課題がある。【０００８】
この発明は上記の事情に鑑みて発案されたものであり、以下の１番目の事項を主目的とし、併せて、２番目、３番目の事項の実現も図るようにしたものである。
１．部品点数の削減、構造の簡素化によるコスト削減
２．繰り返し操作に対する耐久性の改善
３．摩擦力低減による操作性の改善
【課題を解決するための手段】
【０００９】
この発明は、空気の吹き出し方向を調整するルーバーを有した送風装置であって、
前記ルーバーは、風向を調整する複数枚の羽根板と、前記羽根板を保持する枠体と、前記羽根板の角度を調整する左右方向に移動自在のリンク部品と、前記リンク部品の移動距離を調整するリンク部品固定板バネとを有し、
前記リンク部品は、前記リンク部品固定板バネと対向する面に設けられた複数の凹凸部と、前記羽根板を前記リンク部品の操作に連動させるための羽根板係合部とを有し、
前記複数枚の羽根板は、該羽根板の回転軸と、前記リンク部品と係合する係合軸とを有し、
前記係合軸は、前記リンク部品の操作により、前記羽根板の左右方向を回転調整するように前記リンク部品の羽根板係合部にそれぞれ左右方向が固定されており、
前記枠体は、前記リンク部品を左右方向に移動自在に保持するリンク部品保持部と、前記リンク部品固定板バネを支持する板バネ支持部と、前記板バネ支持部に支持されている前記リンク部品固定板バネの弾性変形と前記リンク部品の装着圧力とを利用して該板バネを固定する板バネ係止部とを備え、
前記リンク部品固定板バネは、前記リンク部品の前記凹凸部に嵌合する凸部を備え、
前記リンク部品の前記凹凸部に前記リンク部品固定板バネの前記凸部が嵌合して、前記リンク部品が係止される
送風機。
【発明の効果】
【００１０】
この発明によれば、複数枚の羽根板の操作をリンク部品で行うことにより操作性を改善するとともに、駆動モーターを使用せず、板バネを用いてリンク部品の移動距離を調整、固定できるようになるため、コストも削減できる。また、リンク部品と板バネを組立てた際に板バネが前記枠体の板バネ係止部に固定される構造となっているため、別途板バネのための固定部品を設ける必要が無く、部品点数削減によるコスト削減を行っている。
【図面の簡単な説明】
【００１１】
【図１】この発明の実施の形態に係るルーバーを備えた送風機のルーバー部の一例を示す斜視図である。
【図２】図１で示したルーバー部のルーバー固定枠の斜視図である。
【図３】図１で示したルーバーの枠体の斜視図である。
【図４】図１で示したルーバーの羽根板の斜視図である。
【図５】図１で示したルーバーのリンク部品の斜視図である。
【図６】図１で示したルーバーのリンク部品固定板バネの斜視図であり、（ａ）は上面方向から、（ｂ）は側面方向から、（ｃ）は底面方向から見た図である。
【図７】図７は図６で示したリンク部品固定板バネを図３で示した枠体に装着した状態の断面図であり、（ａ）は模式図、（ｂ）は実際の構造に即した図である。
【図８】リンク部品固定板バネとリンク部品とを枠体に取り付けた状態の断面を示す模式図である。
【図９】ルーバーの送風方向を製品の正面(直進)に調整した際のルーバーの羽根板の配置を示す斜視図である。
【図１０】ルーバーの送風方向を右方向に調整した際のルーバーの羽根板の配置を示す斜視図である。
【図１１】ルーバーの送風方向を左方向に調整した際のルーバーの羽根板の配置を示す斜視図である。
【図１２】ルーバーの送風方向をスポット（中央に集中）に調整した際のルーバーの羽根板の配置を示す斜視図である。
【図１３】ルーバーの送風方向をワイド（左右に広範囲）に調整した際のルーバーの羽根板の配置を示す斜視図である。
【図１４】図１で示したルーバーの上下固定板バネを示す斜視図であり、（ａ）は上下固定板バネを単体で、（ｂ）は枠体に取り付けた状態で示す図である。
【図１５】上下固定板バネが枠体とルーバー固定枠との間に配置されている状態を示す図であり、（ａ）は断面模式図、（ｂ）は実際の構造に即した部分拡大図である。
【図１６】ルーバーの送風方向を上向きに調整した際のルーバーの配置を示す斜視図である。
【図１７】ルーバーの送風方向を下向きに調整した際のルーバーの配置を示す斜視図である。
【発明を実施するための形態】
【００１２】
以下、この発明の送風機の実施の形態について、図面を参照して詳細に説明する。なお、この発明は以下に説明する実施の形態に限定されるものではない。
【００１３】
図１に示すように、この発明の実施の形態に係る送風機１００は、その空気吹出口にルーバー１を備えている。なお、図１ではルーバー部分のみを表し、内部にあるファンなどを省略している。図１に示すように、ルーバー１は４枚の羽根板３を有し、羽根板３は回動自在に枠体２に保持されている。羽根板３はリンク部品４に係合され、リンク部品４の操作により、羽根板３の左右方向の角度を同時に調整することができるように構成されている。
【００１４】
リンク部品４はルーバー１の左右にそれぞれ備えられ、枠体２のリンク部品保持部１３（図３参照）によって左右方向に移動自在に保持されている。なお、リンク部品４は、その係合部３３，３４がリンク部品保持部１３と係合して保持されている。リンク部品４は、後述するリンク部品固定板バネ６の作用によって、任意の距離ずつ左右方向に位置調整されて、固定、保持することができるように構成されている。
枠体２は、その外側に位置するルーバー固定枠５に、送風機１００の左右方向と直交する方向（例えば上下方向）に回動自在に固定されている。したがって、枠体２を回転させることにより送風機１００の風向の上下方向の角度を調整することができる。枠体２は、左右の側面に上下固定板バネ７を備えており、この上下固定板バネ７の作用により、任意の角度に調整されて、固定、保持することができるように構成されている。
なお、枠体２、羽根板３、リンク部品４、ルーバー固定枠５はすべて耐熱性の樹脂にて形成されている。
【００１５】
図２に示すように、ルーバー固定枠５は、長方形の筒形状となっており、前面が全部開口され、後面には内部にあるファンから送られて来た空気が通過する通気口５Ａが形成されている。ルーバー固定枠５の両側壁には上下固定板バネ７と係合するための連続した凹凸が形成された凹凸部９と、枠体２を回動自在に保持するための軸受穴８とが形成されている。
【００１６】
図３に示すように、枠体２の上面、下面には羽根板３を回動自在に保持する軸受穴１０Ａ，１０Ｂが設けられ、枠体２の左右両側壁には、枠体２をルーバー固定枠５に回動自在に支持するための回転軸２４と、上下固定板バネ７を係合固定する枠体側面係合部としての係合穴２４Ａを有している。
また、枠体２には、左右側面を連結する支持板１２が枠体２の左右方向に設けられている。この支持板１２には羽根板３をその中央部で上下方向に保持するための半円状の支持穴１１が備えられている。
枠体２の下面には、リンク部品４を左右方向に移動自在に保持するためリンク部品保持部１３と、リンク部品固定板バネ６を支持および固定するための板バネ保持部１４とを有している。
リンク部品保持部１３は、リンク部品４の係合部３３，３４と係合してリンク部品４を移動自在に保持する。
板バネ保持部１４は、リンク部品固定板バネ６を係合支持する板バネ支持部（係合リブ）１４Ａと、リンク部品固定板バネ６を固定する板バネ係止部（ここでは突起が設けられている）２３と、を備えている。
【００１７】
図４示すように、羽根板３には回転軸１５が上下端にそれぞれ備えられ、それぞれの回転軸１５が枠体２の軸受穴１０Ａ，１０Ｂに挿入されることにより枠体２に回動自在に保持される。
また、羽根板３の上下方向の中央部には支持軸１７が備えられており、この支持軸１７が支持板１２の支持穴１１に挿入、係合されることによって、羽根板３は支持板１２に対して回動自在に支持されている。
さらに、羽根板３の下端の背面側にリンク部品４と係合する係合軸１６が備えられ、係合軸１６がリンク部品４と係合されることにより、リンク部品４の操作によって、羽根板３の左右方向の回転角度を調整することができるようになっている。
【００１８】
図５に示すように、リンク部品４は枠体２のリンク部品保持部１３と係合する係合部３３，３４と、利用者が操作するための操作部１８と、２つの羽根板３のための羽根板係合部１９が設けられている。羽根板係合部１９は２つの突起形状からなり、この２つの突起形状の間に羽根板３の係合軸１６を挿入することにより係合軸１６と係合されている。羽根板３の係合軸１６は、羽根板３の回転軸１５を中心とした円弧状の軌道で移動するが、羽根板係合部１９は係合軸１６を左右方向にのみ係合し前後方向へは移動可能な構造であるため、操作部１８を左右に操作することにより、羽根板係合部１９を介して羽根板３の左右方向の角度を調整することができる。
また、リンク部品４は複数の凹凸が形成された凹凸部２０を有し、凹凸部２０にリンク部品固定板バネ６の凸部（ダボ）２１が押圧、係合されることにより、その凹凸形状に基づいて左右方向に任意の移動距離ずつ調整、固定される。リンク部品４はルーバーに鏡対象の部品として左右にそれぞれ配置され、４枚の羽根板３のうち、中央より右側の２枚の羽根板３は右側のリンク部品４に、中央より左側の２枚の羽根板３は左のリンク部品４にそれぞれ係合されており、左右それぞれ２枚ずつを独立して角度調整することが可能となっている。
【００１９】
図６に示すように、リンク部品固定板バネ６の一端には、枠体２の板バネ保持部１４に係合支持するための弾性部２２Ｂが形成され、リンク部品固定板バネ６の他端には、枠体２の板バネ保持部１４に固定される係合部（ここでは切欠き）２２Ａが形成されている。リンク部品固定板バネ６の弾性部２２Ｂと係合部２２Ａとの間は本来一定の角度で曲げられているが、リンク部品４が枠体２に装着されると、その装着圧力とリンク部品固定板バネ６の弾性変形との作用により、リンク部品固定板バネ６の係合部２２Ａが、枠体２に形成されている板バネ保持部１４の板バネ係止部２３により固定される。
また、リンク部品固定板バネ６の係合部２２Ａ側におけるリンク部品４に対向する面には、リンク部品４の凹凸部２０に嵌合する凸部（ダボ）２１が形成されている。
【００２０】
次に、枠体２にリンク部品固定板バネ６およびリンク部品４を組み付ける態様について説明する。図７は枠体２の板バネ保持部１４にリンク部品固定板バネ６のみを挿入した状態を示している（図７（ａ）は模式図、図７（ｂ）は実際に即した構造図）。リンク部品固定板バネ６を板バネ保持部１４に挿入し、その弾性部２２Ｂを板バネ保持部１４の係合リブ１４Ａの隙間に挿入すると、弾性部２２Ｂがたわみながら挿入される。そして、弾性部２２Ｂの反発力による摩擦によってリンク部品固定板バネ６の右側は係合リブ１４Ａに支持される。一方、凸部２１が形成されているリンク部品固定板バネ６の係合部２２Ａ側は、弾性部２２Ｂに対して一定の角度で曲げられているため、板バネ保持部１４の下面側に近い位置にあり、板バネ保持部１４の板バネ係止部２３には係合されていない。このため、リンク部品固定板バネ６は板バネ保持部１４から着脱可能な状態である。
図８は、図７の状態からさらにリンク部品４が枠体２に装着されて、板バネ保持部１４に挿入された際のリンク部品固定板バネ６の状態を示している。リンク部品４が板バネ保持部１４に挿入されると、板バネ保持部１４の凹凸部２０にリンク部品固定板バネ６の凸部２１が押圧されて係合される。リンク部品４のこの装着圧力によって、リンク部品固定板バネ６は弾性変形してその係合部２２Ａが板バネ保持部１４の板バネ係止部２３と係合して固定された状態となる。
【００２１】
次に、リンク部品４を操作して羽根板３の角度を調整し、風向を変更した際の羽根板の調整例を示す。リンク部品４の操作部１８に対して、リンク部品４の羽根板係合部１９は羽根板３の回転軸１５よりも背面側に設けられているため、操作部１８を右側にスライドさせると羽根板３は左側に回転し、操作部１８を左側にスライドさせると羽根板３は右側に回転する。
【００２２】
図９はルーバー１の風向を製品正面に調整した場合の羽根板３の配置を示した斜視図である。リンク部品４の操作部１８Ａ，１８Ｂをどちらも全スライド幅の中央に配置することにより、すべての羽根板３が枠体２の左右両側面と平行な向き（送風機の送風方向と平行な向き）となり、送風機の風向方向を製品正面にすることができる。
【００２３】
図１０はルーバー１の風向を右方向に調整した場合の羽根板３の配置を示した斜視図である。リンク部品４の操作部１８Ａ，１８Ｂをどちらも左側にスライドさせることにより、羽根板３は右方向に回転する。すべての羽根板３を右向きに配置することにより、送風機の風の送風方向を右方向にすることができる。
【００２４】
図１１はルーバー１の風向を左方向に調整した場合の羽根板３の配置を示した斜視図である。リンク部品４の操作部１８Ａ，１８Ｂをどちらも右側にスライドさせることにより、羽根板３は左方向に回転する。すべての羽根板３を左向きに配置することにより、送風機の風の送風方向を左方向にすることができる。
【００２５】
図１２はルーバーの風向をスポット（中央集中）に調整した場合の羽根板３の配置を示した斜視図である。右側操作部１８Ａを右側にスライドさせ、左側操作部１８Ｂを左側にスライドさせることにより、右側２枚の羽根板３は左方向に回転し、左側２枚の羽根板３は右方向に回転する。左右それぞれの羽根板３が送風機の中心方向を向い合うように配置することにより、送風機の風の送風範囲を狭め、送風機正面に集中して送風することができる。送風範囲を絞ることにより、送風機が取付られた住宅の室内などの空間の送風したいところを選択して送風することができる。暖房機などに利用された場合には部屋の床面など暖めたいところを集中的に暖房することができる。
【００２６】
図１３はルーバーの風向をワイド（左右拡散）に調整した場合の羽根板３の配置を示した斜視図である。右側操作部１８Ａを左側にスライドさせ、左側操作部１８Ｂを右側にスライドさせることにより、右側２枚の羽根板３は右方向に回転し、左側２枚の羽根板３は左方向に回転する。左右それぞれの羽根板３がそれぞれ離れるように回転配置することにより、送風機の風の送風範囲を広げ、広範囲に送風することができる。送風範囲を広げることにより、送風機が取付られた住宅の室内などの空間を広範囲に送風することができる。暖房機などに利用された場合には部屋の広範囲を均一に暖房送風することができる。
【００２７】
次に、ルーバー１を上述の左右方向と直交する方向（以下、上下方向と称する）へ回動させる機構について説明する。この機構には、ルーバー固定枠５と、以下に説明する上下固定板バネ７が必要となる。図１４の（ａ）に上下固定板バネ７の単体を、（ｂ）に上下固定板バネ７が枠体２に取り付けられた状態を、それぞれ示す。
上下固定板バネ７は枠体２に係合するための板バネ係合部としての係合突起２７と、枠体２の回転軸２４に挿入するための軸受穴２８を有する。また、上下固定板バネ７は、上端部にルーバー固定枠５に設けられた連続した凹凸からなる凹凸部９に係合するための係合凸部（係合ダボ）２５を備え、下端部にルーバー１を角度調整した際に上下固定板バネ７が浮き上り、ルーバー固定枠５の内側面に引っかかることを防止するための接触凸部（接触ダボ）２６を備えている。上下固定板バネ７はさらに、枠体２をルーバー固定枠５の中心位置に位置決めするための円弧状折り曲げ部２９を備えている。
【００２８】
次に、上下固定板バネ７とルーバー固定枠５とを利用したルーバー１の上下方向への回動機構について、図１５の断面模式図（ａ）と、実際の構造に即した部分拡大図（ｂ）を基に説明する。上下固定板バネ７は枠体２との係合部である係合突起２７を、枠体２の係合穴２４Ａに係合し、軸受穴２８に枠体２の回転軸２４を挿入することにより、枠体２の両側面にそれぞれ固定される。ルーバー固定枠５の軸受穴８に枠体２の回転軸２４を挿入し回動自在に固定すると、円弧状折り曲げ部２９によって、枠体２の左右方向の位置はルーバー固定枠５の中心に位置決めされる。また、係合凸部２５がルーバー固定枠５の側面内側の凹凸部９の凹部に嵌り込んで係合されることで、枠体２の回転角度を任意の角度に固定することができる。
【００２９】
次に、支持板１２の左右端部の操作部３０によって枠体２の角度を調整し、上下方向の風向を変更した際のルーバーの風向調整例を図１６、図１７に示す。なお、操作部３０は支持板１２と一体形成されているが、枠体２に設けられた隔壁３１によって、風路から分離されているため、送風機から温風が送風された場合にも操作部３０の温度上昇を抑制して、操作部３０を手で操作できるようになっている。
【００３０】
図１６は操作部３０によって、枠体２を上方向に回転させた際のルーバー１の状態を示す。枠体２が上方向に回転し、上部を向くことにより送風方向を上方向とすることができる。図１７は操作部３０によって、枠体２を下方向に回転させた際のルーバー１の状態を示す。枠体２が下方向に回転し、下部を向くことにより送風方向を下方向とすることができる。
【００３１】
以上に説明した構造により、ルーバー１は風向を右、左、ワイド、またはスポットに調整可能であり、さらに上下方向にも調整可能である。すなわち、上記ルーバー１を備えることにより、送風機正面に３次元的に風向の選択が可能な送風機を得ることができる。
【００３２】
より具体的には以下のような効果が得られる。リンク部品４を左右２つに分割することにより、風向を左、右だけでなく、広範囲もしくは集中的に送風することが可能となり、ルーバー１の風向調整機能が向上する。また、リンク部品４を２つに分割することによりその長さを短くすることができるため、樹脂で成型する場合の成型性が向上し、寸法精度も向上する。また、リンク部品４の金型の寸法を小型化することができる。さらに、１つのリンク部品４に固定する羽根板３の枚数が減るため組立て性も向上する。
【００３３】
また、ルーバー１を上下方向にも回動、調整できるようにすることにより、ルーバー１の風向調整機能を向上している。
また、角度調整するための手段として板バネ６，７を用いることにより、摩擦力を減らし、繰り返し操作による摩耗を低減している。また、板バネ６，７の形状の調整により、操作荷重を任意に調整することができる。また、板バネ６，７を用いることにより、角度調整時に部品が破損しにくい構造とすることができる。
【００３４】
また、ルーバーを左右方向またはそれと直交する方向に回転調整する板バネ６，７および凹凸部２０，９をルーバー１の左右に設けたことで、ルーバー１が両端で支持されることになり、ルーバー自体の変形量が減って、ルーバーが１安定し角度調整の操作性も向上する。
【００３５】
また、ルーバー１の回転軸２４に上下固定板バネ７を挿入し、ルーバー１をルーバー固定枠５に取り付けた際に、上下固定板バネ７の円弧状折り曲げ部２９が対向面であるルーバー固定枠５の側面に接触して弾性変形することにより、円弧状折り曲げ部２９の弾性でルーバー１を中心方向に押すことができる。ルーバー固定枠５とルーバー１とはルーバー１を角度調整するために一定のクリアランスを設ける必要がある。クリアランスの分だけ回転軸方向のルーバーの位置にばらつきが発生するが、上下固定板バネ７を左右両端に設けることにより、ルーバー１は円弧状折り曲げ部２９を介して左右から均等に中心方向に押されるため、ルーバー１をルーバー固定枠５の中心位置に回動自在に固定することができる。
【００３６】
また、ルーバー１の角度調整時に上下固定板バネ７が弾性変形した際、ルーバー固定枠５の凹凸部９に嵌り込まない側の端が浮き上がっても、接触凸部２６がルーバー固定枠５の側面に接触するため、引っかかり等が発生しにくい。また、接触凸部２６のルーバー固定枠５への接触面積が小さく、摩擦力を低減することができる。
【産業上の利用可能性】
【００３７】
この発明のルーバーを備えた送風機は、空気調和機、浴室乾燥機、浴室暖房機などの家庭用または業務用の送風機として用いることができる。
【符号の説明】
【００３８】
１  ルーバー、２  枠体、３  羽根板、４  リンク部品、５  ルーバー固定枠、５Ａ  通気口、６  リンク部品固定板バネ、７  上下固定板バネ、８  軸受穴、９  凹凸部、１０Ａ  軸受穴、１０Ｂ  軸受穴、１１  支持穴、１２  支持板、１３  リンク部品保持部、１４  板バネ保持部、１４Ａ  係合リブ、１５  回転軸、１６  係合軸、１７  支持軸、１８  操作部、１８Ａ  右側操作部、１８Ｂ  左側操作部、１９  羽根板係合部、２０  凹凸部、２１  凸部（係合凸部）、２２Ａ  係合部（切欠き）、２２Ｂ  弾性部、２３  板バネ係止部、２４  回転軸、２４Ａ  係合穴（枠体側面係合部）、２５  凸部（係合凸部）、２６  凸部（接触凸部）、２７  係合突起（板バネ係合部）、２８  軸受穴、２９  円弧状折り曲げ部、３０  操作部、３１  隔壁、３３  リンク部品係合部、３４  リンク部品係合部、１００  送風機。
【図１】
0006017094.tif 000002
【図２】
0006017094.tif 000003
【図３】
0006017094.tif 000004
【図４】
0006017094.tif 000005
【図５】
0006017094.tif 000006
【図６】
0006017094.tif 000007
【図７】
0006017094.tif 000008
【図８】
0006017094.tif 000009
【図９】
0006017094.tif 000010
【図１０】
0006017094.tif 000011
【図１１】
0006017094.tif 000012
【図１２】
0006017094.tif 000013
【図１３】
0006017094.tif 000014
【図１４】
0006017094.tif 000015
【図１５】
0006017094.tif 000016
【図１６】
0006017094.tif 000017
【図１７】
0006017094.tif 000018